(57)【要約】【課題】災害救援動作を長期間継続することを目的とする。【解決手段】災害救援動作中に蓄電池４からの電源供給を保持する自己保持スイッチ１６と、一定期間商品の提供が行われない場合に自己保持スイッチ１６による電源供給を停止させる制御回路１７とを設けることにより、蓄電池４からの電源供給を自動的に停止させ、災害救援動作を長期間継続することが可能となる。【選択図】図２
2014142727.tif 000002
【特許請求の範囲】
【請求項１】
電池と、
前記電池からの電気を供給する電池電源ラインと、
商用電源からの電気を供給する通常電源ラインと、
前記電池電源ラインと前記通常電源ラインの何れかの電気を出力する電源切替装置と、
外部からの操作により前記電池電源ラインを前記電源切替装置に接続する電池電源接続手段と、
前記電池電源ラインからの電気が供給されると自己保持信号を出力し、所定の時間が経過すると前記自己保持信号の出力を停止する制御回路と、
前記電池電源接続手段は、前記制御回路が前記自己保持信号を出力している間には前記電池電源ラインと前記電源切替装置の接続を維持する
ことを特徴とする自動販売機。
【請求項２】
前記商用電源から出力される交流電気を入力して前記通常電源ラインを介して前記電池電源接続手段に第１の直流電気を出力するＡＣ／ＤＣコンバータを備え、
前記電池は前記電池電源ラインに第２の直流電気を供給し、
前記電源切替装置は、前記第１の直流電気または前記第２の直流電気の内の電圧の高い方の直流電気を選択して出力する
ことを特徴とする請求項１記載の自動販売機。
【請求項３】
前記電源切替装置は、２つのダイオードが並列に配置され、出力が共通接続されることを特徴とする請求項２記載の自動販売機。
【請求項４】
前記通常電源ラインに商用電源から出力される第１の交流電気を供給し、
前記電池から出力される直流電気を入力して前記電池電源ラインを介して前記電池電源接続手段に第２の交流電気を出力するＤＣ／ＡＣインバータを備え、
前記電源切替装置は、通常動作時には前記第１の交流電気を選択し、前記電池電源接続手段により前記電池電源ラインが前記電源切替装置に接続されると前記第２の交流電気を選択して出力する
ことを特徴とする請求項１記載の自動販売機。
【請求項５】
前記制御回路は、商品が提供されてからの商品提供無し時間を測定し、商品提供無し時間が予め設定した時間に達すると前記自己保持信号の出力を停止する
ことを特徴とする請求項１〜４の何れか１項に記載の自動販売機。
【請求項６】
前記制御回路は、自己保持信号を出力してからの信号出力経過時間を測定し、信号出力経過時間が予め設定した時間に達すると前記自己保持信号の出力を停止する
ことを特徴とする請求項１〜４の何れか１項に記載の自動販売機。
【発明の詳細な説明】
【技術分野】
【０００１】
本発明は、災害救援機能を備える自動販売機の電源供給を制御する電源回路に関する。
【背景技術】
【０００２】
近年の自動販売機には、災害時に無償で商品を提供する災害救援機能を備えるものが見受けられる。
災害救援モードに移行時は、通常、停電している場合が多いのでバッテリ動作させていた。すなわち、自動販売機に蓄電池を内蔵し、災害救援動作時には、マニュアル操作で災害救援動作に必要な回路への電源供給を、商用電源から蓄電池に切り換えていた。
【０００３】
電源の切り替えは、外部からの操作によりスイッチを切り替えて、商用電源に繋がる電源配線、あるいは蓄電池に繋がる電源配線を選択し、必要な内部機器に電源供給を行っていた。通常の動作モードの時は、スイッチは商用電源に繋がる電源配線を選択しており、災害救援モードの時は、外部からスイッチを操作することにより蓄電池に繋がる電源配線を選択し、蓄電池からの電源供給で、商品の提供を行っていた（例えば、特許文献１参照）。
【先行技術文献】
【特許文献】
【０００４】
【特許文献１】特開２００６−１９５９５０号公報
【発明の概要】
【発明が解決しようとする課題】
【０００５】
しかしながら、従来の自動販売機の電源回路では、外部からのマニュアル操作により災害救援モードに切り替えるのと同時に蓄電池から電源供給に切り替える構造であるため、災害救援動作時に商品の提供動作がない場合であっても、外部からのマニュアル操作により災害救援モードを解除しない限り、蓄電池からの電源供給が継続されていた。そのため、不必要に蓄電池が電力を消費し続けてしまうため、商品の提供が必要な際には蓄電池の残容量が少なくなり、蓄電池からの電源供給が行えないという問題点があった。
【０００６】
上記問題点を解決するために、本発明の自動販売機の電源回路は、災害救援動作を長期間継続することを目的とする。
【課題を解決するための手段】
【０００７】
上記目的を達成するために、本発明の自動販売機は、電池と、前記電池からの電気を供給する電池電源ラインと、商用電源からの電気を供給する通常電源ラインと、前記電池電源ラインと前記通常電源ラインの何れかの電気を出力する電源切替装置と、外部からの操作により前記電池電源ラインを前記電源切替装置に接続する電池電源接続手段と、前記電池電源ラインからの電気が供給されると自己保持信号を出力し、所定の時間が経過すると前記自己保持信号の出力を停止する制御回路と、前記電池電源接続手段は、前記制御回路が前記自己保持信号を出力している間には前記電池電源ラインと前記電源切替装置の接続を維持することを特徴とする。
【０００８】
また、前記商用電源から出力される交流電気を入力して前記通常電源ラインを介して前記電池電源接続手段に第１の直流電気を出力するＡＣ／ＤＣコンバータを備え、前記電池は前記電池電源ラインに第２の直流電気を供給し、前記電源切替装置は、前記第１の直流電気または前記第２の直流電気の内の電圧の高い方の直流電気を選択して出力しても良い。
【０００９】
また、前記電源切替装置は、２つのダイオードが並列に配置され、出力が共通接続される構成であっても良い。
また、前記通常電源ラインに商用電源から出力される第１の交流電気を供給し、前記電池から出力される直流電気を入力して前記電池電源ラインを介して前記電池電源接続手段に第２の交流電気を出力するＤＣ／ＡＣインバータを備え、前記電源切替装置は、通常動作時には前記第１の交流電気を選択し、前記電池電源接続手段により前記電池電源ラインが前記電源切替装置に接続されると前記第２の交流電気を選択して出力しても良い。
【００１０】
また、前記制御回路は、商品が提供されてからの商品提供無し時間を測定し、商品提供無し時間が予め設定した時間に達すると前記自己保持信号の出力を停止しても良い。
また、前記制御回路は、自己保持信号を出力してからの信号出力経過時間を測定し、信号出力経過時間が予め設定した時間に達すると前記自己保持信号の出力を停止しても良い。
【発明の効果】
【００１１】
以上のように、外部からの操作により電池からの電源ラインを接続する電池電源接続手段と、所定の時間が経過すると電池からの電源ラインの接続を解除する制御回路とを設けることにより、電池からの電源供給を自動的に停止させ、災害救援動作を長期間継続することが可能となる。
【図面の簡単な説明】
【００１２】
【図１】実施の形態１の自動販売機の電源回路の構成を例示する概念図である。
【図２】実施の形態１の自動販売機の電源回路における電源を停止する構成を説明する図である。
【図３】実施の形態１の自動販売機の電源回路における電源を停止する工程を説明するフロー図である。
【図４】実施の形態２の自動販売機の電源回路の構成を例示する概念図である。
【発明を実施するための形態】
【００１３】
本発明の自動販売機は、外部動作により電池から電源供給させる電池電源接続手段と、商品の提供が所定の時間なかった場合に電池電源接続手段による電源供給を切断する制御回路とを備えることを特徴とする。
【００１４】
このような構成により、電池からの電気を供給する災害救援動作時において、所定の時間が経過した場合に、電池からの電源供給を制御回路により自動的に停止することができるため、電池の消耗を抑制し、災害救援動作を長期間継続することが可能となる。
【００１５】
以下、図面を用い、電池の例として蓄電池を用いる場合において、蓄電池からの電源供給を制御する構成について説明する。
（実施の形態１）
まず、図１〜図３を用いて、実施の形態１の自動販売機の構成について説明する。
【００１６】
図１は実施の形態１の自動販売機の電源回路の構成を例示する概念図、図２は実施の形態１の自動販売機の電源回路における電源を停止する構成を説明する図、図３は実施の形態１の自動販売機の電源回路における電源を停止する工程を説明するフロー図である。
【００１７】
自動販売機３は、商品を所定の温度に保持する温度調整回路６，照明７，商品の排出等に用いる各種モータ８やソレノイド，様々な機器の制御を行うマイクロコンピュータ等のコントローラ９、および、これらの機器に電源を供給する電源回路２等から構成される。また、各機器は、異なる電源が供給されるいくつかのグループに分けられ、電源回路２はそれに対応する電気を生成して各機器に供給する。災害救援動作時には、電源回路２に内蔵される蓄電池４（電池の一例）から電源の供給を受け、各機器の内、商品の無償提供に必要な機器に必要な電気を供給する。図１では、電源回路２から、１００Ｖの交流電流１０，２４Ｖの直流電流１５，８Ｖの直流電流２３が供給される構成を例示する。ここでは、ＤＣ／ＤＣコンバータ２２が直流電流１５を入力して直流電流２３を出力する。また、この例では、温度調整回路６，照明７は１００Ｖの交流電流１０で動作し、モータ８やソレノイドは２４Ｖの直流電流１５で動作し、コントローラ９は８Ｖの直流電流２３で動作し、モータ８やソレノイド，コントローラ９が災害救援動作時に動作する。
【００１８】
実施の形態１における電源回路２は、蓄電池４と、電源切替装置１と、電源の供給を切り換える電池電源接続手段５０と、制御回路１７とを備えることが基本構造である。電源回路２は商用電源５と接続され、交流電流１０が入力される。交流電流１０はＡＣ／ＤＣコンバータ１１で直流電流１２に変換され通常電源ライン５２に出力される。電源回路２には蓄電池４が内蔵され、商用電源５から電源が供給される間には、蓄電池４は充電される。蓄電池４は直流電流１４を電池電源ライン５１に供給し、災害救援用スイッチ１３および自己保持スイッチ１６を備えた電池電源接続手段５０を介して直流電流１４を電源切替装置１に出力する。また、電源切替装置１は直流電流１２および直流電流１４が入力され、電圧のより高い直流電流が選択されて、基本直流電気である直流電流１５として出力される。
【００１９】
実施の形態１における自動販売機は、蓄電池４と電源切替装置１との間に災害救援用スイッチ１３および自己保持スイッチ１６を備えた電池電源接続手段５０を備え、自己保持スイッチ１６の導通／非導通を制御する制御回路１７を備えることを特徴とする。この制御回路１７は、コントローラ９の指示に従って動作する。蓄電池４の出力側には災害救援用スイッチ１３が設けられ、災害救援動作の際には、外部操作により、一時的に蓄電池４から直流電流１４が電源切替装置１に出力される。災害救援用スイッチ１３は直流電流１４の出力と共に通電信号２０を出力する。通電信号２０は制御回路１７に入力され、制御回路１７は通電信号２０が入力されると自己保持信号２１を出力する。自己保持信号２１は自己保持スイッチ１６に入力され、災害救援用スイッチ１３が非導通になった後も、自己保持スイッチ１６を介して蓄電池４から直流電流１４を電源切替装置１に出力する。さらに、制御回路１７は災害救援動作時の商品の提供状況の有無を検出し、一定時間商品の提供がなかった場合は自己保持スイッチ１６を非導通にし、蓄電池４からの電源供給を自動的に遮断する。
【００２０】
このように、蓄電池４の電源の消耗を抑制することにより、災害救援動作を継続することが長期間可能となる。また、商用電源５の通常電源ライン５２にＡＣ／ＤＣコンバータ１１を備えて交流電流１０を直流電流１２に変換し、電池電源ライン５１の直流電流１４と通常電源ライン５２の直流電流１２の内の電圧の高い方の直流電気を出力する電源切替装置１を用いている。災害時等で停電となった場合は通常電源ライン５２に直流電流１２が供給されず、この時に災害救援動作状態となった場合は電池電源ライン５１に直流電流１４が供給され電圧が高くなるので、電源切替装置１は直流電流１４を基本直流電気である直流電流１５として出力することになり、蓄電池４からの直流電流１４と商用電源５からの直流電流１２を、容易に選択することが可能となる。また、災害救援動作時であっても、停電が解除され商用電源が回復し直流電流１２の方が直流電流１４より電圧が高い場合は蓄電池４からの電源供給を自動的に遮断して蓄電池４の消耗を防ぐことができ、そのことからも、災害救援動作を長期間継続することが可能となる。
【００２１】
また、前記電源切替装置１は、入力が直流電流１２と直流電流１４となる２つのダイオードが並列に配置され、出力が共通接続されるワイヤードオアの回路構成とすることができる。ダイオードを用いた容易な回路構成で、直流電流１４および直流電流１２の電圧の高い方の直流電流を直流電流１５として出力することができる。２つのダイオードの入力の内、電圧の低い方の直流電流が入力されるダイオードは、他方のダイオードの出力側の電圧との電位差により、順方向に電流が流れない。そのため、直流電流１４の方が電圧が低い場合には直流電流１４が接続されたダイオードに電流が流れず、蓄電池４の電力は消費されない。なお、電源切替装置１としてダイオードを用いたワイヤードオア回路の代わりに、ＦＥＴ等のトランジスタを用いたワイヤードオア回路やその他の電圧比較回路を用いてもよい。
【００２２】
以下、災害救援用スイッチ１３，自己保持スイッチ１６および制御回路１７の構成と動作について詳細に説明する。
図２に示すように、商用電源５はＡＣ／ＤＣコンバータ１１を介して電源切替装置１の一方の入力端子に接続される。蓄電池４は並列配置される災害救援用スイッチ１３および自己保持スイッチ１６を介して電源切替装置１の他方の入力端子に接続される。災害救援用スイッチ１３は蓄電池４と電源切替装置１の他方の入力端子との間に直列接続される。自己保持スイッチ１６は災害救援用スイッチ１３と並列に、災害救援用スイッチ１３をバイパスするように接続され、災害救援用スイッチ１３が非導通の場合に、自己保持スイッチ１６を導通させることにより、蓄電池４と電源切替装置１を接続できる構成である。電源切替装置１の出力端子は制御回路１７およびＤＣ／ＤＣコンバータや各種機器と接続される。災害救援モードに移行するために外部操作がなされて、災害救援用スイッチ１３が導通状態になると、災害救援用スイッチ１３から通電信号２０が制御回路１７に入力される。通電信号２０が入力されると、制御回路１７は自己保持信号２１を自己保持スイッチ１６に出力する。また、制御回路１７はタイマー１８と自己保持停止回路１９とを備えている。タイマー１８は商品提供無し時間を測定し、自己保持停止回路１９は商品提供無し時間があらかじめ定めた所定の時間に達すると、自己保持信号２１の出力を停止し、自己保持スイッチ１６を非導通にし、蓄電池４と電源切替装置１の導通を切断する。
【００２３】
このような回路構成の電源回路において、通常動作時には災害救援用スイッチ１３が非導通となっており、蓄電池４からの電源供給は遮断され、商用電源５から各機器等に電源が供給されている（図３のステップ１）。
【００２４】
停電時に災害救援モードに移行する際には、図２（ｂ）に示すように、外部からの操作により、災害救援用スイッチ１３を導通させて蓄電池４から各機器等に電源供給させる（図３のステップ２）。災害救援用スイッチ１３が導通状態になると、災害救援用スイッチ１３から制御回路１７に導通信号２０が出力される。導通信号２０が入力されると、制御回路１７は自己保持信号２１を自己保持スイッチ１６に出力する。図２（ｃ）に示すように、自己保持信号２１が入力されると、自己保持スイッチ１６は導通状態になり、自己保持スイッチ１６を介して蓄電池４から各機器等に電源供給される（図３のステップ３）。自己保持スイッチ１６は導通状態になった後、災害救援用スイッチ１３は非導通状態に戻る（図３のステップ４）。すなわち、災害救援用スイッチ１３は一時的に導通状態になるとすぐに非導通状態に戻る構造であり、再度外部からの操作により導通状態にできる待機状態となる。そして、災害救援用スイッチ１３が非導通状態になったとしても、自己保持スイッチ１６を介して蓄電池４から各機器等に電源供給される。
【００２５】
この状態で、制御回路１７は所定の時間以上商品の提供動作が発生していないかどうかを検出する（図３のステップ５）。所定の時間以上商品の提供動作が発生していない場合には、制御回路１７は自己保持信号２１の出力を停止することにより、自己保持スイッチ１６を非導通状態にして蓄電池４からの電源供給を遮断する（図３のステップ６）。具体的には、自己保持スイッチ１６が導通している状態において、タイマー１８が商品を提供してからの時間を測定する。次に商品が提供されるとタイマー１８をリセットし、その商品が提供されてからの時間を算出する。この商品が提供されてからの経過時間を商品提供無し時間と称する。
【００２６】
商品提供無し時間があらかじめ定めた所定の時間に達した場合、すなわち、商品が提供された後、次の商品が所定の時間提供されない場合、自己保持停止回路１９からの自己保持信号２１の出力が停止される。自己保持信号２１の出力が停止されると、自己保持スイッチ１６が非導通状態になり、蓄電池４からの電源供給が遮断される。そのため、その後、停電が続く間、各機器への電源供給が停止し、自動販売機は動作しない。この状態で、必要に応じて外部操作により災害救援用スイッチ１３を導通状態にすると、再び災害救援モードに移行し、蓄電池４からの電源供給により、商品の提供が可能となる。以降、上記動作を繰り返す。なお、一時的に災害救援用スイッチ１３により蓄電池４から電源供給させる時間は、少なくとも自己保持スイッチ１６により蓄電池４から電源供給させ始めるまでに必要な時間であればよい。
【００２７】
このように、災害救援用スイッチ１３の他に、制御回路１７で自動制御することができる自己保持スイッチ１６を設け、災害救援動作中には自己保持スイッチ１６を介して蓄電池４から各機器に電源供給させることにより、外部からの操作を行うことなく、制御回路１７によって自己保持スイッチ１６を非導通にして蓄電池４からの電源供給を自動的に遮断することができる。そのため、不必要な蓄電池４の消費を抑制し、災害救援動作を長期継続することが可能となる。さらに、一時的に災害救援用スイッチ１３を導通状態にした後、非導通状態で災害救援用スイッチ１３を待機させる構成とすることにより、自動的に蓄電池４の電源供給を遮断した後、外部操作により再び災害救援モードに移行することが可能となる。
（実施の形態２）
次に図３，図４を用いて、実施の形態２の自動販売機の構成について説明する。
【００２８】
図４は実施の形態２の自動販売機の電源回路の構成を例示する概念図である。
図４に示すように、実施の形態２における自動販売機の電源回路３０は、商用電源３１からの電気を供給する通常電源ライン６２と、蓄電池３３と、蓄電池３３からＤＣ／ＡＣインバータ３５と電池電源接続手段６０を介して電気を供給する電池電源ライン６１を備える。さらに、電源切替装置４１を備えており、商用電源３１からの電源供給がされる通常動作時は通常電源ライン６２からの交流電流を選択し、災害救援動作時は電池電源ライン６１からの交流電流を選択する。また、電池電源接続手段６０は、外部からの操作される災害救援用スイッチ３７と自己保持スイッチ３２を備え、出力が電源切替装置４１に接続されて、自己保持スイッチ３２が導通状態の時は蓄電池３３からの電池電源ライン６１と電源切替装置４１の接続を維持する。また、実施の形態１と同様に制御回路１７を備え、災害救援用スイッチ３７が前記電池電源ライン６２と前記電源切替装置４１を接続した時に通電信号２０を受信し、自己保持信号２１を自己保持スイッチ３２に出力して蓄電池３３から電源供給をさせる。また、電源切替装置４１は通電信号２０を受信すると、電池電源ライン６１からの交流電流を選択して出力する。選択された交流電流はＡＣ／ＤＣコンバータ３８およびＡＣ／ＤＣコンバータ３９に入力し、それぞれ直流電流が生成され、モータ３４やソレノイド，コントローラ３６等の、災害救援動作に必要な機器を動作させる。
【００２９】
このような回路構成の電源回路３０において、通常動作時には電源切替装置４１が商用電源３１側からの交流電流を選択しており、蓄電池３３からの電源供給は遮断され、商用電源３１から各機器等に電源供給されている（図３のステップ１）。停電時に災害救援モードに移行する際には、外部からの操作により災害救援用スイッチ３７が前記電池電源ライン６１と前記電源切替装置４１を接続し蓄電池３３から各機器等に電源供給させる（図３のステップ２）。災害救援用スイッチ３７が導通状態になるのと並行して制御回路１７および電源切替装４１に導通信号２０が出力される。制御回路１７は、導通信号２０が入力されると自己保持信号２１を自己保持スイッチ３２に出力し、電源切替装置４１は通電信号２０が入力されると出力を電池電源ライン６１からの交流電流に切り替える。自己保持信号２１が出力されると、電池電源接続手段６０は前記電池電源ライン６１と前記電源切替装置４１との接続を維持し、電池電源接続手段６０と電源切替装置４１を介して蓄電池３３から各機器等に電源供給される（図３のステップ３）。
【００３０】
この時、災害救援用スイッチ３７は蓄電池３３との接続が非導通の状態に戻っている（図３のステップ４）。
すなわち、災害救援用スイッチ３７は一時的に導通状態になるとすぐに非導通状態に戻る構造であり、再度外部からの操作により導通状態にできる待機状態となる。そして、災害救援用スイッチ３７が非導通状態になったとしても、自己保持スイッチ３２を介して蓄電池３３から各機器等に電源供給される。
【００３１】
この状態で、制御回路１７は所定の時間以上商品の提供動作が発生していないかどうかを検出する（図３のステップ５）。所定の時間以上商品の提供動作が発生していない場合には、制御回路１７は自己保持信号２１の出力を停止することにより、電池電源接続手段６０は蓄電池３３からの電源供給を遮断する（図３のステップ６）。具体的には、電池電源接続手段６０が蓄電池３３からの電源供給の出力を維持している状態において、タイマー１８（図２参照）が商品を提供してからの時間を測定する。次に商品が提供されるとタイマー１８（図２参照）をリセットし、その商品が提供されてからの時間を測定する。この商品が提供されてからの経過時間を商品提供無し時間と称する。
【００３２】
商品提供無し時間があらかじめ定めた所定の時間以上の場合、すなわち、商品が提供された後、所定の時間経過しても次の商品が提供されない場合、自己保持停止回路１９（図２参照）からの自己保持信号２１の出力が停止される。自己保持信号２１の出力が停止されると、電池電源接続手段６０は蓄電池３３からの電源供給を遮断する。そのため、その後、停電が続く間、各機器への電源供給が停止し、自動販売機は動作しない。この状態で、外部操作により災害救援用スイッチ３７を入れると、再び災害救援モードに移行し、蓄電池３３からの電源供給により、商品の提供が可能となる。以降、上記動作を繰り返す。なお、一時的に災害救援用スイッチ３７により蓄電池３３から電源供給させる時間は、少なくとも自己保持スイッチ３２により蓄電池３３から電源供給させ始めるまでに必要な時間であり、上述のあらかじめ定められた所定の商品提供動作間時間より短い時間にするとよい。
【００３３】
このように、災害救援用スイッチ３７の他に、制御回路１７で蓄電池３３からの自己保持信号２１により電源供給の接続を自動制御することができる自己保持スイッチ３２を備えた電池電源接続手段６０を設け、災害救援動作中には電池電源接続手段６０を介して蓄電池３３から各機器に電源供給させることにより、外部からの操作を行うことなく、制御回路１７によって蓄電池３３からの電源供給を自動的に遮断することができる。そのため、不必要な蓄電池３３の消費を抑制し、災害救援動作を長期間継続することが可能となる。さらに、自動的に蓄電池３３の電源供給を遮断した後、停電が続いている場合であっても、外部操作により災害救援用スイッチ３７を導通することで再び災害救援モードに移行することが可能となる。
【００３４】
なお、上記各実施の形態では、制御回路が自己保持信号の出力を停止するまでの時間は、商品が提供されてからの経過時間である商品提供無し時間としていたが、制御回路が自己保持信号を出力してからの信号出力経過時間であってもよい。この場合、災害救援動作を一定時間毎に停止することで蓄電池の消耗を防ぐことができる。
【００３５】
また、上記の各実施の形態では、直流電池として蓄電池４，３３を用いた場合を述べたが、これに限るものではなく、乾電池などの一次電池であってもよい。
また、電池電源接続手段５０，６０に設けた災害救援用スイッチ１３，３７は、外部からの操作により一時的に導通状態になるとすぐに非導通状態に戻る構造であればよく、自動販売機の機体等に設けた押しボタンスイッチの他、例えば、無線による受信信号により電池電源ラインと電源切替装置との接続、切断を制御するライン接続制御回路であってもよい。
【符号の説明】
【００３６】
１    電源切替装置
２    電源回路
３    自動販売機
４    蓄電池
５    商用電源
６    温度調整回路
７    照明
８    モータ
９    コントローラ
１０    交流電流
１１    ＡＣ／ＤＣコンバータ
１２    直流電流
１３    災害救援用スイッチ
１４    直流電流
１５    直流電流
１６    自己保持スイッチ
１７    制御回路
１８    タイマー
１９    自己保持停止回路
２０    通電信号
２１    自己保持信号
２２    ＤＣ／ＤＣコンバータ
２３    直流電流
３０    電源回路
３１    商用電源
３２    自己保持スイッチ
３３    蓄電池
３４    モータ
３５    ＤＣ／ＡＣインバータ
３６    コントローラ
３７    災害救援用スイッチ
３８    ＡＣ／ＤＣコンバータ
３９    ＡＣ／ＤＣコンバータ
４１    電源切替装置
５０    電池電源接続手段
５１    電池電源ライン
５２    通常電源ライン
６０    電池電源接続手段
６１    電池電源ライン
６２    通常電源ライン
【図１】
2014142727.tif 000003
【図２】
2014142727.tif 000004
【図３】
2014142727.tif 000005
【図４】
2014142727.tif 000006